(57)【要約】本発明は、着用者の両肩領域の周りに延在するように配置される肩ストラップ（５）と、ベビーキャリアポーチ（４）を形成するように肩ストラップ（５）上に取り付けられるフロントピース（２）と、ヘッドサポート（７）と、を備えるベビーキャリア（１）に関し、前記フロントピース（２）は、結合要素（１０）を介して肩ストラップ（５）の下部に連結される帯状部（２０）を有し、前記帯状部（２０）は、ベビーキャリアポーチ（４）のサイズを調節するように結合要素（１０）内で長手方向に移動可能である。帯状部（２０）の幅Ｗ１は、結合要素（１０）の幅Ｗ２よりも、５０％から１５０％、好ましくは７０％から１３０％、最も好ましくは９０％から１１０％大きい。【選択図】図３
2021514696.tif 000002
【特許請求の範囲】
【請求項１】
着用者の両肩領域の周りに延在するように配置される肩ストラップ（５）と、前記肩ストラップ（５）との間にベビーキャリアポーチ（４）を形成するように前記肩ストラップ（５）上に取り付けられるフロントピース（２）と、を備えるベビーキャリア（１）であって、
前記フロントピース（２）は、結合要素（１０）を介して前記肩ストラップ（５）の下部に連結される帯状部（２０）を有し、前記帯状部（２０）は、前記ベビーキャリアポーチ（４）のサイズを調節するように前記結合要素（１０）に対して長手方向に移動可能であり、
前記帯状部（２０）の幅Ｗ１は、前記結合要素（１０）の幅Ｗ２よりも、５０％から１５０％、好ましくは７０％から１３０％、最も好ましくは９０％から１１０％大きいことを特徴とする、ベビーキャリア（１）。
【請求項２】
前記結合要素（１０）が、前記帯状部（２０）が通される少なくとも１つの鳩目（１３）を含むことを特徴とする、請求項１に記載のベビーキャリア（１）。
【請求項３】
前記結合要素（１０）が、２つの鳩目（１３）と、前記帯状部（２０）の連続的な長さ調節を提供する可動ピン（１２）と、を含むことを特徴とする、請求項２に記載のベビーキャリア（１）。
【請求項４】
前記結合要素（１０）が、前記肩ストラップ（５）に着脱可能に連結されていることを特徴とする、請求項１から３のいずれか一項に記載のベビーキャリア（１）。
【請求項５】
前記フロントピース（２）が、綿と、メッシュと、ジャージーと、からなる群から選択される材料から作られることを特徴とする、請求項１から４のいずれか一項に記載のベビーキャリア（１）。
【発明の詳細な説明】
【技術分野】
【０００１】
本発明は、請求項１の前提部に定義される種類のベビーキャリアに関する。
【背景技術】
【０００２】
上記の種類のベビーキャリアは、着用者の両肩領域の周りに延在するように配置される、肩ストラップを有するハーネスと、肩ストラップと共に、それぞれの肩ストラップに取り付けられ、好ましくはそれぞれの肩ストラップに着脱可能に取り付けられる、ベビーキャリアポーチを形成するフロントピースと、を備える。
【０００３】
上記の種類のベビーキャリアは、例えば、特許文献１から知られている。
【０００４】
フロントピースは可撓性材料で作られており、この可撓性材料は、運ばれる赤ん坊の形状および重量の影響下で、少なくともある程度それ自体を成形し、ハーネスに取り付けられ、好ましくはハーネスに着脱可能に取り付けられ、赤ん坊のためのシート支持体を形成する、下部帯状部を有する。
【０００５】
ベビーキャリアによって運ばれる赤ん坊／子供の快適性を高めるために、シート支持体は、赤ん坊の脚の少なくとも一部の周り、特に大腿部の周りが挟まれるおそれを減らすように、特定の幅を有するべきである。
【０００６】
さらに、ハーネスに連結される、好ましくはハーネスに着脱可能に連結される、結合要素に対して、前記帯状部の長さを調節することによって、ベビーキャリアポーチのサイズを調節する。前記帯状部のこの調節は、帯状部の意図しない調節、伸延を回避するために、すなわち、ベビーキャリアポーチのサイズを大きくすることを回避するために、堅固でなければならず、なおかつ連続的に調節可能でなければならない。
【先行技術文献】
【特許文献】
【０００７】
【特許文献１】スウェーデン登録特許第５２１８０３号明細書
【発明の概要】
【発明が解決しようとする課題】
【０００８】
本発明の目的は、調節可能な帯状部／シート支持体を有するフロントピースを有するベビーキャリアを提供し、一方では運ばれる赤ん坊／子供の快適性を高め、他方ではシート支持体の堅固な調節を提供することである。
【課題を解決するための手段】
【０００９】
本発明によれば、この目的は、着用者の両肩領域の周りに延在するように配置される肩ストラップと、肩ストラップとの間にベビーキャリアポーチを形成するように肩ストラップ上に取り付けられるフロントピースと、を備えるベビーキャリアによって達成され、前記フロントピースは、結合要素を介して肩ストラップの下部に連結される帯状部を有し、前記帯状部は、ベビーキャリアポーチのサイズを調節するように、結合要素に対して長手方向に移動可能であり、帯状部の幅は、結合要素の幅よりも、５０％から１５０％、好ましくは７０％から１３０％、最も好ましくは９０％から１１０％大きいことを特徴とする。
【００１０】
本発明は、添付の独立請求項において定義される。
【００１１】
本発明のさらなる実施形態は、添付の従属請求項から明らかになるであろう。
【図面の簡単な説明】
【００１２】
【図１】ハーネスの一部とフロントピースを示す、従来技術のベビーキャリアの概略側面図である。
【図２】図１に示すハーネスに取り付けられることを意図した、従来技術のフロントピースの内側の図である。
【図３】本発明によるフロントピースの内側の図である。
【発明を実施するための形態】
【００１３】
本発明は添付の図面を参照して、例としてより詳細に説明する。
【００１４】
以下の説明および特許請求の範囲において、ベビーキャリアは、赤ん坊を運ぶことに限定されず、同様に適合して、子供または幼児を運んでもよいことが理解されるべきである。下部、前側等のような表現は、ベビーキャリアの通常の使用に関連して読まれるべきである。
【００１５】
図１は、ハーネス３と共にハーネス３の前側にベビーキャリアポーチ４を形成する、フロントピース２を備える、従来技術のベビーキャリア１の側面図を概略的に示す。
【００１６】
このようにして、フロントピース２はハーネス３によって支持され、ハーネス３は、好ましくはハーネスの後側の取付具（fitting、図示せず）によって互いに結合される、２つのループ状の肩ストラップ５を含む。肩ストラップ５は、着用者の前側に位置するその下部において、関連するストラップループの一方の端部に対する取付手段１１と、前記ループの他方の端部に対する通過開口部を含む、結合要素１０を担持する。このようにして、それぞれの取付手段１１は、２つの要素１１の間を連結する、水平なハーネス部分を含むウエストベルトの端部を、ハーネスの前側に形成していると考えることができる。
【００１７】
フロントピース２は、結合要素１０の基部と共に結合要素に対する前記帯状部２０の移動を防止する、可動ピン１２と共に、結合要素１０に形成される、少なくとも１つ好ましくは２つの、鳩目（eyelet）１３を通って長手方向に移動することができる、下部帯状部２０を有する。このようにして、帯状部２０は、前記少なくとも１つの鳩目１３に通され、その中で連続的に調節可能である。帯状部２０の有効長さは、フロントピース２の垂直方向における長さを決定し、ひいては、ベビーキャリアポーチ４の深さ／サイズも決定する。
【００１８】
帯状部２０の有効長さが、他のタイプの結合要素によって調節することができることは、当業者には明らかである。帯状部２０は、例えば、開閉可能なアームによって結合要素に挟むことができる。このような場合、帯状部２０の有効長さは、徐々に調節可能である。
【００１９】
結合要素１０は、取付手段１１のそれぞれの側に、解除可能に連結することができる。
【００２０】
フロントピース２は、それぞれの上側部分に、ハーネス３の前側の肩ストラップ５上の対応する結合要素３１と解除可能に連結する、結合要素３０を有する。各肩ストラップ５は、それぞれのストラップループのサイズを変更するための長さ調節取付具（図示せず）を含んでもよい。
【００２１】
さらに、フロントピース２はまた、ハーネス３の前側の肩ストラップ５上の対応する結合要素（図１には示されていない）と解除可能に連結する、結合要素４０（図２および図３参照）をそれぞれの上側部分に有する、ヘッドサポート６を備える。
【００２２】
図２に見られるように、フロントピース２は、その下端部に、結合要素１０内に受け入れられ、および結合要素１０に対して長手方向に変位可能な帯状部２０を有する、ほぼ平坦な材料によって形成されていると考えることができる。帯状部２０は、シート支持体を形成する。帯状部２０は、結合要素１０の幅に対応するか、またはそれより小さい幅を有し、好ましくは、結合要素１０の鳩目１３の幅に対応する幅を有する。
【００２３】
図３は、本発明によるフロントピース２を示す。推測できるように、赤ん坊のシート支持体を形成する帯状部２０は、結合要素１０の幅Ｗ２よりもはるかに大きい幅Ｗ１を有する。より具体的には、結合要素１０の少なくとも１つの鳩目１３の幅Ｗ３よりもはるかに大きい幅Ｗ１を有する。より具体的には、帯状部２０の幅Ｗ１は、結合要素１０の幅Ｗ２よりも、５０％から１５０％、好ましくは７０％から１３０％、最も好ましくは９０％から１１０％大きい。
【００２４】
非限定的な例の形態では、結合要素１０の外側の幅Ｗ２は約１０ｃｍであり、帯状部２０の幅Ｗ１は、フロントピースの材料が綿である場合には約１７ｃｍであり、フロントピースの材料がメッシュである場合には約２０ｃｍであり、フロントピースの材料がジャージーである場合には約２２ｃｍである。
【００２５】
帯状部２０を結合要素１０よりも幅広にすることにより、材料が結合要素の周囲で折り畳まれるので、帯状部２０の赤ん坊によって負荷される部分は、わずかにボウル型になる。これは、帯状部２０によって形成されるシート支持体がいくらか丸くなり、赤ん坊の後にそれ自体を形作ることを意味する。
【００２６】
さらに、結合要素１０が少なくとも１つの鳩目１３を備える場合、帯状部２０を形成する材料の厚さをより薄くすることができるが、それでも帯状部２０のより多くの材料が少なくとも１つの鳩目１３内に位置するので、結合要素１０内の帯状部２０の締付（clamping）効果を改善することができる。
【００２７】
このように、プラスチック材料のような硬い材料から作られる結合要素１０の幅を大きくすることなく、シート支持体／帯状部２０の幅を大きくすることができる。このように、結合要素１０の周囲に形成される余分な材料は、クッション効果を形成し、硬い結合要素１０上に座っている赤ん坊が感じるおそれのある不快感を低減する。
【図１】
2021514696.tif 000003
【図２】
2021514696.tif 000004
【図３】
2021514696.tif 000005
【国際調査報告】
2021514696.tif 000006
2021514696.tif 000007
2021514696.tif 000008